(57)【要約】      （修正有）【課題】理美容室での使用に適したタオルを提供する。【解決手段】横長の略長方形状に形成されたタオル本体６ａによって構成されている。具体的には，タオル本体６ａは，縦の長さＬが５〜２８ｃｍ，横の長さＷが４０〜７８ｃｍの略長方形状に形成されており，縦の長さＬ及び横の長さＷが，理美容室での使用に適した長さとなっている。タオル本体６ａの一方の長辺部分に，長辺に対して略垂直な複数の切れ目６ｂが等間隔に設けられている。また，タオル本体６ａの他方の長辺部分に，長辺上に長軸を有する略半長円状の切り欠き６ｃが設けられている。ここで，切れ目６ｂの長さは，タオル本体６ａの縦の長さＬの４分の１以下である。また，切り欠き６ｃの弧の長さは，４０ｃｍ程度に設定されている。【選択図】図１１
2016002110.tif 000002
【特許請求の範囲】
【請求項１】
理美容室において使用される理美容室用タオルであって，
縦の長さが５〜２８ｃｍ，横の長さが４０〜７８ｃｍの略長方形状に形成されていることを特徴とする理美容室用タオル。
【請求項２】
縦の長さが１０〜２３ｃｍである，請求項１に記載の理美容室用タオル。
【請求項３】
縦の長さが１３〜２０ｃｍである，請求項１に記載の理美容室タオル。
【請求項４】
横の長さが４５〜７５ｃｍである，請求項１又は３に記載の理美容室用タオル。
【請求項５】
横の長さが５０〜７０ｃｍである，請求項１又は３に記載の理美容室用タオル。
【請求項６】
一方の長辺部分に，当該長辺に対して略垂直な切れ目が設けられている，請求項１〜３のいずれか１項に記載の理美容室用タオル。
【請求項７】
一方の長辺部分に，当該長辺に沿って延びた略半長円状の切り欠きが設けられている，請求項１〜３のいずれか１項に記載の理美容室用タオル。
【請求項８】
一方の長辺が，内側に凹んだ緩やかな弧状に形成されている，請求項１〜３のいずれか１項に記載の理美容室用タオル。
【請求項９】
綿，ポリエステル及びナイロンからなる群から選ばれる少なくとも１つの素材によって形成されている，請求項１〜６のいずれか１項に記載の理美容室用タオル。
【発明の詳細な説明】
【技術分野】
【０００１】
本発明は，理美容室用タオルに関する。さらに詳細にいうと本発明は，理美容室におけるカットやパーマ等の際に首に巻いて使用される理美容室用タオルに関する。
【背景技術】
【０００２】
理美容室において，タオルは，必須のアイテムである。すなわち，カットやパーマ等の際に首に巻いたり，シャンプーの後に頭を拭いたりする場合など，様々な機会に，タオルが使用される。
このように，理美容室において，タオルは，種々の用途ないし機会に使用される。そのため，理美容室では，多くの，そして色違いのタオルを備えているのが通常である。また，毎日タオルを使用することから，理美容室においては，タオルの洗濯並びに収納が日々必須の作業となっている。
【０００３】
このような状況の中，理美容室において使用されるタオルは，一般的に汎用されているタオルである。すなわち，理美容室において使用されるタオルは，「フェイスタオル」と呼ばれるタオルであって，縦の長さが３０〜４０ｃｍ程度，横の長さが８０〜９０ｃｍ程度のタオルである（例えば，非特許文献１参照）。
フェイスタオルをカットやパーマ等の際に使用する場合には，まず，当該フェイスタオルを縦方向に二重折りにして，顧客の首に巻く。そして，両端部を顧客の首の後ろで重ねたり，一端部を顧客の首の後ろで折り込んだりして，当該フェイスタオルを固定する。
しかし，いずれの固定の仕方にせよ，顧客の首の後ろの部分に余計な厚みができてしまう。すなわち，通常，人の首周りの長さは４０ｃｍ程度であるため，汎用のフェイスタオルを顧客の首に巻くと，４０ｃｍ以上の余りが出てくる計算になる。そして，この余りが，首の後ろの部分の余計な厚みにつながってしまい，カットやパーマ等の際にちょっとした邪魔になったりする。加えて，フェイスタオルを縦方向に二重折りにしているのは，当該フェイスタオルが大きすぎるためであって，そもそもそのような大きさは必要でない。
【０００４】
このように，汎用のフェイスタオルは，必ずしも理美容室における使用に最適とは言えない。しかし，理美容室における汎用のフェイスタオルの使用は，数十年来変わっていない。
【先行技術文献】
【非特許文献】
【０００５】
【非特許文献１】株式会社ウイズホームページ，［online］，［平成２６年３月１０日検索］，インターネット〈URL:http://www1.odn.ne.jp/~cal77510/page003.html〉
【発明の概要】
【発明が解決しようとする課題】
【０００６】
上記事情を背景として，本発明では，理美容室での使用に適したタオルの開発を課題とする。
【課題を解決するための手段】
【０００７】
理美容室における汎用フェイスタオルの使用という数十年来当たり前のように続いてきた風習に対して，現役の美容師でもある本発明者は，常識に囚われない鋭い感性から，理美容室での使用に適した大きさや形状のタオルを着想し，本発明を完成させるに至った。
【０００８】
本発明に係る理美容室用タオルは，以下の構成からなる。
（１）  理美容室において使用される理美容室用タオルであって，
縦の長さが５〜２８ｃｍ，横の長さが４０〜７８ｃｍの略長方形状に形成されていることを特徴とする。
【０００９】
本発明の理美容室用タオルの上記（１）の構成によれば，縦及び横の長さを，理美容室での使用に適した長さとしたことにより，下記の優れた効果を奏することができる。
(1)  複雑な形状変化やサイズダウンではなく，縦横の長さの縮小というシンプルな変化だからこそ製造スピードが上がり，製造費は減少し，販売費を抑えることが可能で，購入費が安価になる。
(2)  理美容室における管理の面においては，一度の洗濯可能枚数は増えるため洗濯機使用回数は減少し，それと同時に水道光熱費も削減することが出来る。また，既存の物干し道具をそのまま使用し従来の倍の枚数のタオルの物干しが可能になる。
(3)  収納においては，従来の畳み方を考慮して縮小を加減しているため従来のタオルの畳み方よりも手間を省いて畳むことができ，畳んだ状態は従来品よりも厚みは当然薄くなり幅は同じになるため，既存の収納箇所，収納道具を変更すること無く収納することが可能で，さらに従来よりも大容量の枚数を収納出来る。
(4)  尚且つ，首に巻く時には無意味な余りが無く，もたつきが生じず，施術の邪魔になることはないが必要なサイズは残すという業務遂行にあたり，製造，販売，購入コスト，理美容室における管理での中の負担減少，水道光熱費の削減，使用時の使い勝手の良さの向上が期待できる。
以上のように，従来と比べ，無駄は省きすべての場面においてデメリットは生まれず，＋αのメリットが生まれるよう考えた結果の最適な形状とサイズである。
【００１０】
本発明の理美容室用タオルの上記（１）の構成においては，以下の（２）〜（９）のような構成にすることが好ましい。
【００１１】
（２）の構成によれば縦の長さが１０〜２３ｃｍ，（３）の構成によれば縦の長さが１３〜２０ｃｍである。
【００１２】
（４）の構成によれば横の長さが４５〜７５ｃｍ，（５）の構成によれば横の長さが５０〜７０ｃｍである。
【００１３】
上記（２）から（５）の好ましい構成によれば，理美容室用タオルの縦の長さ及び／又は横の長さを，この範囲内の長さに設定することにより，当該理美容室用タオルの大きさを，理美容室での使用に最適な大きさとすることができる。
【００１４】
（６）  一方の長辺部分に，当該長辺に対して略垂直な切れ目が設けられている。
【００１５】
上記（６）の好ましい構成によれば，一方の長辺部分（切れ目部分）を下向きにして顧客の首に巻く際に，肩の辺りで当該一方の長辺部分が広がった状態となる。このため，顧客の首に巻き易い理美容室用タオルを提供することができる。また，顧客の首に巻いた後においても，肩の辺りで当該一方の長辺部分が広がった状態に保持されるので，カットやパーマ等の作業時における顧客の窮屈さを軽減することもできる。
【００１６】
（７）  一方の長辺部分に，当該長辺に沿って延びた略半長円状の切り欠きが設けられている。
【００１７】
上記（７）の好ましい構成によれば，一方の長辺部分（切り欠き部分）を上向きにして顧客の首に巻く際に，当該理美容室用タオルが，丸みを帯びている首に，よりフイットし易くなる。このため，顧客の首に巻いた後のカットやパーマ等の作業時における顧客の窮屈さを軽減することができる。
【００１８】
（８）  一方の長辺が，内側に凹んだ緩やかな弧状に形成されている。
【００１９】
上記（８）の好ましい構成によれば，一方の長辺（弧状部分）を上向きにして顧客の首に巻く際に，当該理美容室用タオルが，丸みを帯びている首に，よりフイットし易くなる。このため，顧客の首に巻いた後のカットやパーマ等の作業時における顧客の窮屈さを軽減することができる。
【００２０】
（９）  綿，ポリエステル及びナイロンからなる群から選ばれる少なくとも１つの素材によって形成されている。
【００２１】
上記（９）の好ましい構成によれば，以下のような優れた効果を奏することができる。すなわち，綿は，吸水性に優れ，肌触りもソフトであるため，理美容室用タオルを綿によって形成すれば，理美容室での使い勝手の良いタオルを提供することが可能となる。また，ポリエステルやナイロンは，加工して極細の化学繊維であるマイクロファイバーにすることができるため，綿以上の吸水性，通気性，保湿性を持たせることができる。従って，理美容室用タオルをポリエステルやナイロンによって形成すれば，より高機能なタオルを提供することが可能となる。
【発明の効果】
【００２２】
本発明によれば，理美容室での使用に適したタオルを提供することができる。
【図面の簡単な説明】
【００２３】
【図１】本発明の実施の形態１における理美容室用タオルの構成を示す正面図
【図２】本発明の実施の形態１における理美容室用タオルのタオル本体を，顧客の首の前面にあてがった状態を示す正面図
【図３】本発明の実施の形態１における理美容室用タオルのタオル本体を，顧客の首に巻いた状態を示す正面図
【図４】本発明の実施の形態２における理美容室用タオルの構成を示す正面図
【図５】本発明の実施の形態２における理美容室用タオルのタオル本体を，顧客の首の前面にあてがった状態を示す正面図
【図６】本発明の実施の形態２における理美容室用タオルのタオル本体を，顧客の首に巻いた状態を示す正面図
【図７】本発明の実施の形態３における理美容室用タオルの構成を示す正面図
【図８】本発明の実施の形態３における理美容室用タオルのタオル本体を，顧客の首の前面にあてがった状態を示す正面図
【図９】本発明の実施の形態４における理美容室用タオルの構成を示す正面図
【図１０】本発明の実施の形態４における理美容室用タオルのタオル本体を，顧客の首の前面にあてがった状態を示す正面図
【図１１】本発明の実施の形態５における理美容室用タオルの構成を示す正面図
【図１２】本発明の実施の形態６における理美容室用タオルの構成を示す正面図
【図１３】本発明の実施の形態１〜４における理美容室用タオルの他の構成を示す正面図（（Ａ）は実施の形態１に対応，（Ｂ）は実施の形態２に対応，（Ｃ）は実施の形態３に対応，（Ｄ）は実施の形態４に対応）
【図１４】本発明のタオルと，通常のタオル（フェイスタオル）の大きさを比較した図
【図１５】本発明のタオルと，通常のタオル（フェイスタオル）を収納した様子を示した図
【図１６】本発明のタオルと，通常のタオル（フェイスタオル）を収納した様子を示した図
【発明を実施するための形態】
【００２４】
以下，好適な実施の形態を用いて本発明をさらに具体的に説明する。但し，下記の実施の形態は本発明を具現化した例に過ぎず，本発明はこれに限定されるものではない。
【００２５】
［実施の形態１］
（理美容室用タオルの構成）
まず，本発明の実施の形態１における理美容室用タオルの構成について，図１を参照しながら説明する。
【００２６】
図１は，本発明の実施の形態１における理美容室用タオルの構成を示す正面図である。
【００２７】
図１に示すように，本実施の形態の理美容室用タオル１は，横長の長方形状に形成されたタオル本体１ａによって構成されている。より具体的には，タオル本体１ａは，縦の長さＬが５〜２８ｃｍ，横の長さＷが４０〜７８ｃｍの長方形状に形成されており，縦の長さＬ及び横の長さＷが，理美容室での使用に適した長さとなっている。
【００２８】
本実施の形態の理美容室用タオル１の構成によれば，タオル本体１ａの縦の長さＬ及び横の長さＷを，理美容室での使用に適した長さとしたことにより，下記の優れた効果を奏することができる。
(1)  複雑な形状変化やサイズダウンではなく，縦横の長さの縮小というシンプルな変化だからこそ製造スピードが上がり，製造費は減少し，販売費を抑えることが可能で，購入費が安価になる。
(2)  理美容室における管理の面においては，一度の洗濯可能枚数は増えるため洗濯機使用回数は減少し，それと同時に水道光熱費も削減することが出来る。また，既存の物干し道具をそのまま使用し従来の倍の枚数のタオルの物干しが可能になる。
(3)  収納においては，従来の畳み方を考慮して縮小を加減しているため従来のタオルの畳み方よりも手間を省いて畳むことができ，畳んだ状態は従来品よりも厚みは当然薄くなり幅は同じになるため，既存の収納箇所，収納道具を変更すること無く収納することが可能で，さらに従来よりも大容量の枚数を収納出来る。
(4)  尚且つ，首に巻く時には無意味な余りが無く，もたつきが生じず，施術の邪魔になることはないが必要なサイズは残すという業務遂行にあたり，製造，販売，購入コスト，理美容室における管理での中の負担減少，水道光熱費の削減，使用時の使い勝手の良さの向上が期待できる。
以上のように，従来と比べ，無駄は省きすべての場面においてデメリットは生まれず，＋αのメリットが生まれるよう考えた結果の最適な形状とサイズである。
【００２９】
本実施の形態の理美容室用タオル１においては，タオル本体１ａの縦の長さＬが好ましくは１０〜２３ｃｍ，より好ましくは１３〜２０ｃｍとする。また，本実施の形態の理美容室用タオル１においては，タオル本体１ａの横の長さＷが好ましくは４５〜７５ｃｍ，より好ましくは５０〜７０とする。これらの好ましい例によれば，タオル本体１ａの縦の長さＬ及び／又は横の長さＷを，この範囲内の長さに設定することにより，タオル本体１ａの大きさを，理美容室での使用に最適な大きさとすることができる。
【００３０】
本実施の形態の理美容室用タオル１のタオル本体１ａは，綿，ポリエステル及びナイロンからなる群から選ばれる少なくとも１つの素材によって形成されていることが好ましい。理美容室用タオル１のタオル本体１ａは，綿，ポリエステル及びナイロンからなる群から選ばれる１つの素材だけによって形成されていてもよく，２つ以上の素材の組み合わせによって形成されていてもよい。
【００３１】
理美容室用タオル１のタオル本体１ａをこれらの素材によって形成することにより，以下のような優れた効果を奏することができる。すなわち，綿は，吸水性に優れ，肌触りもソフトであるため，理美容室用タオル１のタオル本体１ａを綿によって形成すれば，理美容室での使い勝手の良いタオルを提供することが可能となる。また，ポリエステルやナイロンは，加工して極細の化学繊維であるマイクロファイバーにすることができるため，綿以上の吸水性，通気性，保湿性を持たせることができる。従って，理美容室用タオル１のタオル本体１ａをポリエステルやナイロンによって形成すれば，より高機能なタオルを提供することが可能となる。
【００３２】
（理美容室用タオルの使用方法）
次に，本実施の形態の理美容室用タオル１の使用方法について，図２，図３を参照しながら説明する。
【００３３】
図２は，本発明の実施の形態１における理美容室用タオルのタオル本体を，顧客の首の前面にあてがった状態を示す正面図，図３は，当該理美容室用タオルのタオル本体を，顧客の首に巻いた状態を示す正面図である。
【００３４】
まず，図２に示すように，理美容室用タオル１のタオル本体１ａを，そのまま横に延ばした状態で顧客２の首２ａの前面にあてがう。次いで，理美容室用タオル１のタオル本体１ａの左右両端部１ｂ，１ｃを，顧客２の首２ａの後ろに持っていき，左右両端部１ｂ，１ｃを顧客２の首２ａの後ろで重ねたり，一端部１ｂ（又は１ｃ）を顧客２の首２ａの後ろで折り込んだりして，当該理美容室用タオル１のタオル本体１ａを固定する。これにより，図３に示すように，顧客２の首２ａに理美容室用タオル１のタオル本体１ａを巻くことができる。
【００３５】
このように顧客２の首２ａに理美容室用タオル１のタオル本体１ａを巻く際に，当該タオル本体１ａを縦方向に二重折りにする必要がなく，そのまま使用することができるので，使用の際の手間を減少させることができる。また，顧客２の首２ａに巻いたときに生じる余りが少なくなることから，顧客２の首２ａの後ろの厚みを極めて減少させることが可能となり，その後のカットやパーマ等の作業効率を向上させることができる。
【００３６】
［実施の形態２］
（理美容室用タオルの構成）
次に，本発明の実施の形態２における理美容室用タオルの構成について，図４を参照しながら説明する。
【００３７】
図４は，本発明の実施の形態２における理美容室用タオルの構成を示す正面図である。
【００３８】
図４に示すように，本実施の形態の理美容室用タオル３は，横長の長方形状に形成されたタオル本体３ａによって構成されている。より具体的には，タオル本体３ａは，縦の長さＬが５〜２８ｃｍ（好ましくは１０〜２３ｃｍ，より好ましくは１３〜２０ｃｍ），横の長さＷが４０〜７８ｃｍ（好ましくは４５〜７５ｃｍ，より好ましくは５０〜７０ｃｍ）の長方形状に形成されており，縦の長さＬ及び横の長さＷが，理美容室での使用に適した長さとなっている。タオル本体３ａは，上記実施の形態１の理美容室用タオル１のタオル本体１ａと同じ素材によって形成されていることが好ましい。
【００３９】
本実施の形態の理美容室用タオル３の構成によれば，タオル本体３ａの縦の長さＬ及び横の長さＷを，理美容室での使用に適した長さとしたことにより，上記実施の形態１の理美容室用タオル１と同様の優れた効果を奏することができる。
【００４０】
本実施の形態の理美容室用タオル３においては，タオル本体３ａの一方の長辺部分に，当該長辺に対して略垂直な複数の切れ目３ｂが等間隔に設けられている。タオル本体３ａに本来の機能を果たさせるためには，切れ目３ｂの長さは，タオル本体３ａの縦の長さＬの４分の１以下であることが好ましい。
【００４１】
（理美容室用タオルの使用方法）
次に，本実施の形態の理美容室用タオル３の使用方法について，図５，図６を参照しながら説明する。
【００４２】
図５は，本発明の実施の形態２における理美容室用タオルのタオル本体を，顧客の首の前面にあてがった状態を示す正面図，図６は，当該理美容室用タオルのタオル本体を，顧客の首に巻いた状態を示す正面図である。
【００４３】
まず，図５に示すように，理美容室用タオル３のタオル本体３ａを，切れ目３ｂを下向きにしてそのまま横に延ばした状態で顧客２の首２ａの前面にあてがう。次いで，理美容室用タオル３のタオル本体３ａの左右両端部３ｃ，３ｄを，顧客２の首２ａの後ろに持っていき，左右両端部３ｃ，３ｄを顧客２の首２ａの後ろで重ねたり，一端部３ｃ（又は３ｄ）を顧客２の首２ａの後ろで折り込んだりして，当該理美容室用タオル３のタオル本体３ａを固定する。これにより，図６に示すように，顧客２の首２ａに理美容室用タオル３のタオル本体３ａを巻くことができる。
【００４４】
このように顧客２の首２ａに理美容室用タオル３のタオル本体３ａを巻く際に，当該タオル本体３ａを縦方向に二重折りにする必要がなく，そのまま使用することができるので，使用の際の手間を減少させることができる。また，顧客２の首２ａに巻いたときに生じる余りが少なくなることから，顧客２の首２ａの後ろの厚みを極めて減少させることが可能となり，その後のカットやパーマ等の作業効率を向上させることができる。さらに，本実施の形態の理美容室用タオル３においては，タオル本体３ａの一方の長辺部分に，当該長辺に対して略垂直な複数の切れ目３ｂを等間隔に設けたことにより，タオル本体３ａを顧客２の首２ａに巻く際に，肩の辺りで当該タオル本体３ａの下側の長辺部分が広がった状態となる。また，タオル本体３ａを顧客２の首２ａに巻いた後においても，肩の辺りで当該タオル本体３ａの下側の長辺部分が広がった状態に保持される。このため，タオル本体３ａを顧客２の首２ａに巻き易くなり，また4，顧客２の首２ａに巻いた後のカットやパーマ等の作業時における顧客２の窮屈さを軽減することもできる。
【００４５】
尚，本実施の形態においては，タオル本体３ａの一方の長辺部分に，当該長辺に対して略垂直な複数の切れ目３ｂが等間隔に設けられている場合を例に挙げて説明しているが，必ずしもこのような構成に限定されるものではない。切れ目の数は１つであっても，２つ以上であってもよい。また，複数の切れ目を設ける場合であっても，必ずしも等間隔に設ける必要はない。
【００４６】
［実施の形態３］
（理美容室用タオルの構成）
次に，本発明の実施の形態３における理美容室用タオルの構成について，図７を参照しながら説明する。
【００４７】
図７は，本発明の実施の形態３における理美容室用タオルの構成を示す正面図である。
【００４８】
図７に示すように，本実施の形態の理美容室用タオル４は，横長の略長方形状に形成されたタオル本体４ａによって構成されている。より具体的には，タオル本体４ａは，縦の長さＬが５〜２８ｃｍ（好ましくは１０〜２３ｃｍ，より好ましくは１３〜２０ｃｍ），横の長さＷが４０〜７８ｃｍ（好ましくは４５〜７５ｃｍ，より好ましくは５０〜７０ｃｍ）の略長方形状に形成されており，縦の長さＬ及び横の長さＷが，理美容室での使用に適した長さとなっている。タオル本体４ａは，上記実施の形態１の理美容室用タオル１のタオル本体１ａと同じ素材によって形成されていることが好ましい。
【００４９】
本実施の形態の理美容室用タオル４の構成によれば，タオル本体４ａの縦の長さＬ及び横の長さＷを，理美容室での使用に適した長さとしたことにより，上記実施の形態１の理美容室用タオル１と同様の優れた効果を奏することができる。
【００５０】
本実施の形態の理美容室用タオル４においては，タオル本体４ａの一方の長辺部分に，当該長辺上に長軸を有する略半長円状の切り欠き４ｂが設けられている。通常，人の首周りの長さは４０ｃｍ程度であるため，切り欠き４ｂの弧の長さは，４０ｃｍ程度に設定されている。
【００５１】
（理美容室用タオルの使用方法）
次に，本実施の形態の理美容室用タオル４の使用方法について，図８を参照しながら説明する。
【００５２】
図８は，本発明の実施の形態３における理美容室用タオルのタオル本体を，顧客の首の前面にあてがった状態を示す正面図である。
【００５３】
まず，図８に示すように，理美容室用タオル４のタオル本体４ａを，切り欠き４ｂを上向きにしてそのまま横に延ばした状態で顧客２の首２ａの前面にあてがう。次いで，理美容室用タオル４のタオル本体４ａの左右両端部４ｃ，４ｄを，顧客２の首２ａの後ろに持っていき，左右両端部４ｃ，４ｄを顧客２の首２ａの後ろで重ねたり，一端部４ｃ（又は４ｄ）を顧客２の首２ａの後ろで折り込んだりして，当該理美容室用タオル４のタオル本体４ａを固定する。これにより，顧客２の首２ａに理美容室用タオル４のタオル本体４ａを巻くことができる（図３等参照）。
【００５４】
このように顧客２の首２ａに理美容室用タオル４のタオル本体４ａを巻く際に，当該タオル本体４ａを縦方向に二重折りにする必要がなく，そのまま使用することができるので，使用の際の手間を減少させることができる。また，顧客２の首２ａに巻いたときに生じる余りが少なくなることから，顧客２の首２ａの後ろの厚みを極めて減少させることが可能となり，その後のカットやパーマ等の作業効率を向上させることができる。さらに，本実施の形態の理美容室用タオル４においては，タオル本体４ａの一方の長辺部分に，当該長辺上に長軸を有する略半長円状の切り欠き４ｂを設けたことにより，タオル本体４ａを顧客２の首２ａに巻く際に，当該タオル本体４ａが，丸みを帯びている首２ａに，よりフイットし易くなる。このため，タオル本体４ａを顧客２の首２ａに巻いた後のカットやパーマ等の作業時における顧客２の窮屈さを軽減することができる。
【００５５】
尚，本実施の形態においては，タオル本体４ａの一方の長辺部分に，当該長辺上に長軸を有する略半長円状の切り欠き４ｂが設けられている場合を例に挙げて説明しているが，必ずしもこのような構成に限定されるものではない。切り欠きの形状は，長辺に沿って延びた略半長円状であればよく，必ずしも長辺上に長軸を有している必要はない。
【００５６】
［実施の形態４］
（理美容室用タオルの構成）
次に，本発明の実施の形態４における理美容室用タオルの構成について，図９を参照しながら説明する。
【００５７】
図９は，本発明の実施の形態４における理美容室用タオルの構成を示す正面図である。
【００５８】
図９に示すように，本実施の形態の理美容室用タオル５は，横長の略長方形状に形成されたタオル本体５ａによって構成されている。より具体的には，タオル本体５ａは，縦の長さＬが５〜２８ｃｍ（好ましくは１０〜２３ｃｍ，より好ましくは１３〜２０ｃｍ），横の長さＷが４０〜７８ｃｍ（好ましくは４５〜７５ｃｍ，より好ましくは５０〜７０ｃｍ）の略長方形状に形成されており，縦の長さＬ及び横の長さＷが，理美容室での使用に適した長さとなっている。タオル本体５ａは，上記実施の形態１の理美容室用タオル１のタオル本体１ａと同じ素材によって形成されていることが好ましい。
【００５９】
本実施の形態の理美容室用タオル５の構成によれば，タオル本体５ａの縦の長さＬ及び横の長さＷを，理美容室での使用に適した長さとしたことにより，上記実施の形態１の理美容室用タオル１と同様の優れた効果を奏することができる。
【００６０】
本実施の形態の理美容室用タオル５においては，タオル本体５ａの一方の長辺が，内側に凹んだ緩やかな弧状に形成されている。図９中，参照符号５ｂは弧状部分を示している。
【００６１】
（理美容室用タオルの使用方法）
次に，本実施の形態の理美容室用タオル５の使用方法について，図１０を参照しながら説明する。
【００６２】
図１０は，本発明の実施の形態４における理美容室用タオルのタオル本体を，顧客の首の前面にあてがった状態を示す正面図である。
【００６３】
まず，図１０に示すように，理美容室用タオル５のタオル本体５ａを，弧状部分５ｂを上向きにしてそのまま横に延ばした状態で顧客２の首２ａの前面にあてがう。次いで，理美容室用タオル５のタオル本体５ａの左右両端部５ｃ，５ｄを，顧客２の首２ａの後ろに持っていき，左右両端部５ｃ，５ｄを顧客２の首２ａの後ろで重ねたり，一端部５ｃ（又は５ｄ）を顧客２の首２ａの後ろで折り込んだりして，当該理美容室用タオル５のタオル本体５ａを固定する。これにより，顧客２の首２ａに理美容室用タオル５のタオル本体５ａを巻くことができる（図３等参照）。
【００６４】
このように顧客２の首２ａに理美容室用タオル５のタオル本体５ａを巻く際に，当該タオル本体５ａを縦方向に二重折りにする必要がなく，そのまま使用することができるので，使用の際の手間を減少させることができる。また，顧客２の首２ａに巻いたときに生じる余りが少なくなることから，顧客２の首２ａの後ろの厚みを極めて減少させることが可能となり，その後のカットやパーマ等の作業効率を向上させることができる。さらに，本実施の形態の理美容室用タオル５においては，タオル本体５ａの一方の長辺を，内側に凹んだ緩やかな弧状に形成したことにより，タオル本体５ａを顧客２の首２ａに巻く際に，当該タオル本体５ａが，丸みを帯びている首２ａに，よりフイットし易くなる。このため，タオル本体５ａを顧客２の首２ａに巻いた後のカットやパーマ等の作業時における顧客２の窮屈さを軽減することができる。
【００６５】
［実施の形態５］
次に，本発明の実施の形態５における理美容室用タオルの構成について，図１１を参照しながら説明する。
【００６６】
図１１は，本発明の実施の形態５における理美容室用タオルの構成を示す正面図である。
【００６７】
図１１に示すように，本実施の形態の理美容室用タオル６は，横長の略長方形状に形成されたタオル本体６ａによって構成されている。より具体的には，タオル本体６ａは，縦の長さＬが５〜２８ｃｍ（好ましくは１０〜２３ｃｍ，より好ましくは１３〜２０ｃｍ），横の長さＷが４０〜７８ｃｍ（好ましくは４５〜７５ｃｍ，より好ましくは５０〜７０ｃｍ）の略長方形状に形成されており，縦の長さＬ及び横の長さＷが，理美容室での使用に適した長さとなっている。タオル本体６ａは，上記実施の形態１の理美容室用タオル１のタオル本体１ａと同じ素材によって形成されていることが好ましい。
【００６８】
本実施の形態の理美容室用タオル６においては，タオル本体６ａの一方の長辺部分に，当該長辺に対して略垂直な複数の切れ目６ｂが等間隔に設けられている。タオル本体６ａに本来の機能を果たさせるためには，切れ目６ｂの長さは，タオル本体６ａの縦の長さＬの４分の１以下であることが好ましい。また，本実施の形態の理美容室用タオル６においては，タオル本体６ａの他方の長辺部分に，当該長辺上に長軸を有する略半長円状の切り欠き６ｃが設けられている。通常，人の首周りの長さは４０ｃｍ程度であるため，切り欠き６ｃの弧の長さは，４０ｃｍ程度に設定されている。
【００６９】
以上のように，本実施の形態の理美容室用タオル６は，上記実施の形態１〜３の構成を備えたものとなっている。従って，本実施の形態の理美容室用タオル６の構成によれば，タオル本体６ａの縦の長さＬ及び横の長さＷを，理美容室での使用に適した長さとしたことにより，上記実施の形態１の理美容室用タオル１と同様の優れた効果を奏することができる。また，タオル本体６ａの一方の長辺部分に，当該長辺に対して略垂直な切れ目６ｂを等間隔に設けたことにより，タオル本体６ａを顧客２の首２ａに巻く際に，肩の辺りでタオル本体６ａの下側の長辺部分が広がった状態となる。また，タオル本体６ａを顧客２の首２ａに巻いた後においても，肩の辺りで当該タオル本体６ａの下側の長辺部分が広がった状態に保持される。このため，タオル本体６ａを顧客２の首２ａに巻き易くなり，また，顧客２の首２ａに巻いた後のカットやパーマ等の作業時における顧客２の窮屈さを軽減することができる。さらに，タオル本体６ａの他方の長辺部分に，当該長辺上に長軸を有する略半長円状の切り欠き６ｃを設けたことにより，タオル本体６ａを顧客２の首２ａに巻く際に，当該タオル本体６ａが，丸みを帯びている首２ａに，よりフイットし易くなる。このため，タオル本体６ａを顧客２の首２ａに巻いた後のカットやパーマ等の作業時における顧客２の窮屈さをさらに軽減することができる。
【００７０】
尚，本実施の形態においては，タオル本体６ａの一方の長辺部分に，当該長辺に対して略垂直な複数の切れ目６ｂが等間隔に設けられている場合を例に挙げて説明しているが，必ずしもこのような構成に限定されるものではない。切れ目の数は１つであっても，２つ以上であってもよい。また，複数の切れ目を設ける場合であっても，必ずしも等間隔に設ける必要はない。
【００７１】
また，本実施の形態においては，タオル本体６ａの他方の長辺部分に，当該長辺上に長軸を有する略半長円状の切り欠き６ｃが設けられている場合を例に挙げて説明しているが，必ずしもこのような構成に限定されるものではない。切り欠きの形状は，長辺に沿って延びた略半長円状であればよく，必ずしも長辺上に長軸を有している必要はない。
［実施の形態６］
次に，本発明の実施の形態６における理美容室用タオルの構成について，図１２を参照しながら説明する。
【００７２】
図１２は，本発明の実施の形態６における理美容室用タオルの構成を示す正面図である。
【００７３】
図１２に示すように，本実施の形態の理美容室用タオル７は，横長の略長方形状に形成されたタオル本体７ａによって構成されている。より具体的には，タオル本体７ａは，縦の長さＬが５〜２８ｃｍ（好ましくは１０〜２３ｃｍ，より好ましくは１３〜２０ｃｍ），横の長さＷが４０〜７８ｃｍ（好ましくは４５〜７５ｃｍ，より好ましくは５０〜７０ｃｍ）の略長方形状に形成されており，縦の長さＬ及び横の長さＷが，理美容室での使用に適した長さとなっている。タオル本体７ａは，上記実施の形態１の理美容室用タオル１のタオル本体１ａと同じ素材によって形成されていることが好ましい。
【００７４】
本実施の形態の理美容室用タオル７においては，タオル本体７ａの一方の長辺部分に，当該長辺に対して略垂直な複数の切れ目７ｂが等間隔に設けられている。タオル本体７ａに本来の機能を果たさせるためには，切れ目７ｂの長さは，タオル本体７ａの縦の長さＬの４分の１以下であることが好ましい。また，本実施の形態の理美容室用タオル７においては，タオル本体７ａの他方の長辺が，内側に凹んだ緩やかな弧状に形成されている。図１２中，参照符号７ｂは弧状部分を示している。
【００７５】
以上のように，本実施の形態の理美容室用タオル７は，上記実施の形態１，実施の形態２及び実施の形態４の構成を備えたものとなっている。従って，本実施の形態の理美容室用タオル７の構成によれば，タオル本体７ａの縦の長さＬ及び横の長さＷを，理美容室での使用に適した長さとしたことにより，上記実施の形態１の理美容室用タオル１と同様の優れた効果を奏することができる。また，タオル本体７ａの一方の長辺部分に，当該長辺に対して略垂直な切れ目７ｂを等間隔に設けたことにより，タオル本体７ａを顧客２の首２ａに巻く際に，タオル本体７ａの下側の長辺部分が広がった状態となる。また，タオル本体７ａを顧客２の首２ａに巻いた後においても，肩の辺りで当該タオル本体７ａの下側の長辺部分が広がった状態に保持される。このため，タオル本体７ａを顧客２の首２ａに巻き易くなり，また，顧客２の首２ａに巻いた後のカットやパーマ等の作業時における顧客２の窮屈さを軽減することができる。また，タオル本体７ａの他方の長辺を，内側に凹んだ緩やかな弧状に形成したことにより，タオル本体７ａを顧客２の首２ａに巻く際に，当該タオル本体７ａが，丸みを帯びている首２ａに，よりフイットし易くなる。このため，タオル本体７ａを顧客２の首２ａに巻いた後のカットやパーマ等の作業時における顧客２の窮屈さをさらに軽減することができる。
【００７６】
尚，本実施の形態においては，タオル本体７ａの一方の長辺部分に，当該長辺に対して略垂直な複数の切れ目７ｂが等間隔に設けられている場合を例に挙げて説明しているが，必ずしもこのような構成に限定されるものではない。切れ目の数は１つであっても，２つ以上であってもよい。また，複数の切れ目を設ける場合であっても，必ずしも等間隔に設ける必要はない。
【００７７】
また，上記実施の形態１〜４においては，理美容室用タオルのタオル本体の左右両端部を，顧客２の首２ａの後ろに持っていき，左右両端部を顧客２の首２ａの後ろで重ねたり，一端部を顧客２の首２ａの後ろで折り込んだりして，当該理美容室用タオル４のタオル本体４ａを固定する場合を例に挙げて説明しているが，タオル本体の固定手段は必ずしもこのような構成に限定されるものではない。タオル本体の左端部の表面に雌型の面ファスナを設け，タオル本体の右端部の裏面に雄型の面ファスナを設けることにより，理美容室用タオルのタオル本体を顧客２の首２ａに巻いた状態で簡単に固定することができる（図１３参照）。図１３（Ａ）は，上記実施の形態１の理美容室用タオル１のタオル本体１ａの左端部の表面に雌型の面ファスナ１ｄを設け，タオル本体１ａの右端部の裏面に雄型の面ファスナ１ｅを設けた構成を示している。また，図１３（Ｂ）は，上記実施の形態２の理美容室用タオル３のタオル本体３ａの左端部の表面に雌型の面ファスナ３ｅを設け，タオル本体３ａの右端部の裏面に雄型の面ファスナ３ｆを設けた構成を示している。また，図１３（Ｃ）は，上記実施の形態３の理美容室用タオル４のタオル本体４ａの左端部の表面に雌型の面ファスナ４ｅを設け，タオル本体４ａの右端部の裏面に雄型の面ファスナ４ｆを設けた構成を示している。また，図１３（Ｄ）は，上記実施の形態４の理美容室用タオル５のタオル本体５ａの左端部の表面に雌型の面ファスナ５ｅを設け，タオル本体５ａの右端部の裏面に雄型の面ファスナ５ｆを設けた構成を示している。
【実施例】
【００７８】
本発明の実施態様１に示す試作例を作成し，これを用いて，その大きさならびに収納した際の様子について，通常のタオル（フェイスタオル）と比較を行った。
【００７９】
１．図１４の上段に示す白いタオルが実施例のタオル（約17×63cm），下の段に示すグレーのタオルが通常のフェイスタオル（約32×81cm）である。
２．実施例については縦方向に三つ折りにして収納を行った。比較例については，横方向にまず二つ折りにした後，縦方向に三つ折りにして収納を行った。
３．収納を行った様子を図１５，１６に示す。
(1)  いずれのタオルについても，収納することに問題はなく，重ねあげることにより整然と収納することが可能であった。
(2)  しかしながら，比較例が厚みを持つため，収納する際に高さを必要とするのに対し，実施例ではそれほど高さを必要とせず，多くのタオルを収納することが可能であった。具体的には，比較例を３つ程度収納した高さで，実施例のタオルを少なくとも8枚程度と，同じスペースで約３倍も収納することが可能であった。
４．以上の結果より，本発明のタオルが，収納性に極めて優れていることが示された。
【産業上の利用可能性】
【００８０】
本発明によれば，縦の長さが１２〜２０ｃｍ，横の長さが６０〜７０ｃｍの長方形状に形成することにより，理美容室での使用に適したタオルを提供することができる。従って，本発明の理美容室用タオルは，使用の際の手間を減少させ，カットやパーマ等の作業効率を向上させ，収納作業の効率を向上させる上で有用である。
【図１】
2016002110.tif 000003
【図２】
2016002110.tif 000004
【図３】
2016002110.tif 000005
【図４】
2016002110.tif 000006
【図５】
2016002110.tif 000007
【図６】
2016002110.tif 000008
【図７】
2016002110.tif 000009
【図８】
2016002110.tif 000010
【図９】
2016002110.tif 000011
【図１０】
2016002110.tif 000012
【図１１】
2016002110.tif 000013
【図１２】
2016002110.tif 000014
【図１３】
2016002110.tif 000015
【図１４】
2016002110.tif 000016
【図１５】
2016002110.tif 000017
【図１６】
2016002110.tif 000018